(57)【特許請求の範囲】
【請求項１】
テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させて梱包を行うことを特徴とするテープ類の梱包方法。
【請求項２】
テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつその回転半径を連続的あるいは断続的に変化させて梱包を行うことを特徴とするテープ類の梱包方法。
【請求項３】
テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつその回転中心の位置を連続的あるいは断続的に変化させて梱包を行うことを特徴とするテープ類の梱包方法。
【請求項４】
テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつ回転方向を変換するまでの特定回転数を、前記テープ類の反転位置が１箇所に集中しないように、連続的あるいは断続的に変化させて梱包を行うことを特徴とするテープ類の梱包方法。
【請求項５】
テープ類への回転力の付与を、屈曲部を有する吹出管によって行う請求項１〜４のいずれかに記載のテープ類の梱包方法。
【発明の詳細な説明】
【０００１】
【発明の属する技術分野】
本発明は、テープ類の梱包方法に関する。さらに詳しくは、テープ類をバラ梱包する際、その梱包箱の中へ落下させる途上のテープ類に、特定の回転力を与えながら梱包することにより、テープ類を繰り出す時に、テープ類のねじれや絡まりを生ずることのないテープ類の梱包方法に関する。
【０００２】
【従来の技術】
従来、梱包の分野においては、物品の梱包に用いるロープやワイヤーなどの長尺物は、その製造から使用の過程において、これらをドラムやボビンに巻き取った形態で取り扱われることが多い。
例えば、特公平３−３４４２４号公報で提案されているように、ワイヤー等を巻芯に巻き付けておき、使用にあたって、この巻芯を抜き取って、内側からワイヤー等を繰り出すようにすれば、その取扱時の梱包容積を最少にすることができることから好適な方法である。
【０００３】
ところが、合成樹脂製のチャツクテープのようなテープ類にこのような方法を適用すると、テープ類を巻芯に巻付けた後、巻付けられた状態からテープ類を繰り出す間に、ねじれが累積し、そのままではテープ類として正常な状態での使用が不可能になるという問題がある。
そこで、このようなテープ類を梱包する場合には、テープ類を梱包箱の中に自然落下させて重積する、いわゆるバラ梱包が採用されてきた。この方法によれば、梱包箱内からテープ類を繰り出す際に、テープ類にねじれが累積するような問題は発生しないのであるが、梱包容積が増大するほか、梱包箱内からテープ類を繰り出す際に、梱包箱内のテープ類が絡まりを生ずるという問題がある。
【０００４】
このような問題を解決するため、実開昭６１−１９７０５９号においては、筒状容器内に、ループ状に落下させて重積させて収納してあるテープ類を繰り出すに際して、この筒状容器の蓋体に円弧状のスリットを設けておき、梱包された筒状容器内からのテープ類を、このスリットを通して繰り出すことにより、テープ類を絡まりなく、上方に繰り出すことができるようにした絡み防止具が提案されている。
【０００５】
しかしながら、この場合、ループ状に重積されているテープ相互間の上下の絡みを解消することはできるが、テープ類の繰出装置ごとに円弧状のスリットを有する蓋体を取付けて、そのスリットにテープを挿通する必要があるなど煩雑な操作をしなければならないという難点がある
このような状況から、テープ類を梱包箱に収納し、その梱包箱からテープ類を繰り出して使用する場合に、そのテープ類にねじれが生ずることなく、しかも絡まりも発生しない、テープ類の梱包方法の開発が要望されていた。
【０００６】
【発明が解決しようとする課題】
本発明は、テープ類を落下させながら箱詰めして梱包する方法において、梱包された箱の中からテープ類を繰り出して使用する際に、そのテープ類にねじれや絡まりが生ずることのない形態に梱包することのできるテープ類の梱包方法を提供することを目的とするものである。
【０００７】
【課題を解決するための手段】
本発明者は、上記課題を解決するため種々検討を重ねた結果、梱包箱内に落下する途上にあるテープ類に、特定の回転力を与えながら収納しておくことにより、梱包箱から繰り出して使用する際に、このテープ類にねじれや絡まりが生ずることがないということを見出し、これら知見に基づいて、本発明を完成するに至った。
【０００８】
すなわち、本発明の要旨は下記のとおりである。
（１）テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させて梱包を行うことを特徴とするテープ類の梱包方法。
（２）テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつその回転半径を連続的あるいは断続的に変化させて梱包を行うことを特徴とするテープ類の梱包方法。
（３）テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつその回転中心の位置を連続的あるいは断続的に変化させて梱包を行うことを特徴とするテープ類の梱包方法。
（４）テープ類を落下させながら箱詰めして梱包するにあたり、梱包箱内に落下する途上のテープ類に梱包箱中央部を回転の中心とする回転力を付与すると共に、付与する回転力の方向を３〜６回の特定回転数毎に順方向と逆方向とに交互に変換させ、かつ回転方向を変換するまでの特定回転数を、前記テープ類の反転位置が１箇所に集中しないように、連続的あるいは断続的に変化させて梱包を行うことを特徴とするテープ類の梱包方法。
（５）テープ類への回転力の付与を、屈曲部を有する吹出管によって行う前記（１）〜（４）のいずれかに記載のテープ類の梱包方法。
【０００９】
【発明の実施の形態】
本発明においては、テープ類を落下させながら箱詰めして梱包する、いわゆるバラ梱包を行う際に、梱包箱内に落下する途上のテープ類に梱包箱中央部を回転の中心とする回転力を付与し、かつその回転力の方向を一定回転数毎に順方向と逆方向とに交互に変換させながら梱包を行う方法である。
【００１０】
本発明において梱包するテープ類としては、例えば、合成樹脂製のファスナーを装着したチャックテープや装飾用のレーステープ、リボンなどである。これらテープ類は、梱包された箱の中から繰り出して、これを被着体に熱溶着したり、接着剤や粘着剤により接合して使用することが多いが、この場合、梱包された箱の中から繰り出した状態において、ねじれや梱包時の外力による変形などがあると、そのままの状態で使用することができない。このような場合には、梱包された箱の中から繰り出した後、テープ類のねじれや変形を矯正する工程を経た後でなければ、使用できる状態とすることはできない。本発明においては、このようなテープ類について、梱包された箱の中から繰り出した状態において、ねじれや変形が生ずることのないテープ類の梱包方法である。
【００１１】
つぎに、本発明の方法を添付の図面にしたがって、具体的に説明する。本発明の方法を実施するにあたっては、例えば、図１に示す装置を用いて行うことができる。この装置による場合、テープ類１は、ピンチロール２により挟持されて引取られ、屈曲部を有する吹出管３の内部を通過し、この間にテープ類１に回転力の付与と回転方向の変換が行われ、ついで、この屈曲部を有する吹出管３を通過した後のテープ類１は、梱包箱４の中央部とその側壁との間に、右まわりあるいは左まわりに円弧状に落下して、積み重ねられる。
【００１２】
ここで、テープ類１をピンチロール２に供給する際には、ガイドロール５を用いて行うのが好ましく、またピンチロール２は、駆動機により一対のロールを互いに逆方向に回転させて、ロール２間にテープ類１を挟持して、下方に押し下げるようにする。このピンチロール２は、その表面の材質がゴムや軟質合成樹脂などの柔軟な素材で構成されたものを用い、これらロール間の圧接力がテープ類１を挟持する間に、テープ類１を変形させることのないように調節する。
【００１３】
また、前記屈曲部を有する吹出管３は、その内径がテープ類１の外径の１．５〜４倍程度であるのが適当であり、前記ピンチロール２の直下にベアリング６を用いて固定し、さらに駆動用プーリー７を固定して、この駆動用プーリー７を電動機８によりベルト９を介して動力伝達ができるように接続して、この屈曲部を有する吹出管３が自在に回転できるようにする。
【００１４】
さらに、この屈曲部を有する吹出管３は、そのベアリング６による固定部よりも下方において、この吹出管３の回転中心線に対してある程度の傾きを持つ屈曲部を設け、その屈曲部の先端からのテープ類１の吹出方向が、吹出管３直下におかれた梱包箱４の中心と側壁とのほぼ中間位置にテープ類１を円弧状に落下させるような方向となるようにする。この場合、吹出管３の屈曲部の形状は、テープ類１の梱包速度や、吹出管３の屈曲部先端から梱包箱４内面までの落差、梱包箱４の内径を考慮して、その長さと吹出管３の回転中心線に対する角度を選定すればよい。この長さは、梱包箱４の内径が大であれば相対的に長くすればよく、吹出管３の回転中心線に対する角度は１０〜３０度の傾きを有するものが好適に用いられる。
【００１５】
このような装置を用いて、本発明の方法を実施するにあたっては、まず、テープ類１をガイドロール５により位置決めした後、ピンチロール２で挟持して引き取るとともに、その下方から吹出管３の上端開口部よりテープ類１を吹出管３内に挿通し、屈曲部を経て吹出管３先端から吹出されたテープ類１をその直下に置かれた梱包箱４内に収納するようにして行う。ここで、テープ類１が吹出管３内を通過する間に、吹出管３には、電動機８からベルト９を介して伝達される動力より回転する駆動用プーリー７によって、順方向あるいは逆方向の回転力が付与される。
【００１６】
このような屈曲部を有する吹出管３によるテープ類１への回転力の付与は、順方向（時計まわり）に少なくとも１回転させた後に、逆方向（反時計まわり）に少なくとも１回転させるようにして、テープ類１を順次梱包箱４内に積み重ねながら収納するのが望ましい。この回転力の付与が１回転未満であっても、０．９〜０．８回転程度であれば、梱包箱４内に多少の空間を生じる程度で容積効率の低下は小さいが、例えば０．５回転程度まで減少すると梱包箱４内の右半分（あるいは左半分）に空所を生ずるようになり、容積効率の低下を招くからである。この順方向から逆方向、あるいは逆方向から順方向への変更までの１回あたりの回転数は、１回転以上、好ましくは３〜６回転程度である。
【００１７】
また、このようにテープ類１に順方向と逆方向の回転力を交互に付与すると同時に、その回転半径すなわちテープ類１の軌跡半径を連続的あるいは断続的に変化させることにより、テープ類１を充填率よく梱包することができる。このテープ類１の軌跡半径を変化させるには、例えば、この軌跡半径を大にするには、前記ピンチロール２の回転速度を、駆動用プーリー７の回転速度に対して増大させればよい。
【００１８】
このように、テープ類１の軌跡半径を変化させると、梱包箱４の底面から順次積み上げられていくテープ類１が、梱包箱４内の同一箇所に垂直上方に積み重ねられていくことが回避され、梱包箱４内に積み上げられていくテープ類１が梱包箱４内に均等に分散され、テープ類１の充填率が高められる。すなわち、軌跡半径が大である間には、テープ類１は、梱包箱４内の側壁近傍に積み重なり、軌跡半径を小に変化させると、テープ類１は、梱包箱４内の中央部に積み重なることから、このような軌跡半径を変化を繰り返すと、テープ類１が梱包箱４内の水平方向に均一分散するようになるのである。
【００１９】
したがって、このテープ類１の軌跡半径に変化を与える際には、連続的でかつその頻度が高い方がテープ類１の均一分散性が向上することになるのであるが、断続的に変化を与える場合でもその頻度を高めれば実用的に充分な均一分散性が得られる。この軌跡半径に変化を与える頻度は、テープ類１の厚みや横幅、全長、さらにこのテープ類１が有する剛性や表面の平滑性、梱包箱４の寸法などを考慮して適宜選択すればよい。
【００２０】
また、上記のようにテープ類１に順方向と逆方向の回転力を交互に付与すると同時に、その回転中心の位置を連続的にあるいは断続的に変化させながら、梱包箱４内にテープ類１を積み重ねるようにしてもよい。この場合、前記屈曲部を有する吹出管３によるテープ類１への回転力の付与に際して、該吹出管３の回転軸に歳差運動を与えればよい。そして、普通に梱包箱４内へテープ類１を円弧状に収納する場合よりも、テープ類１の軌跡半径を小さくして、テープ類の回転中心を梱包箱４の中心点から外して、該回転中心を自在に変化させることによって、テープ類１を梱包箱４内の水平方向に均一に分散させ、テープ類１の充填率を向上させることができる。
【００２１】
さらに、上記のようにテープ類１に、特定回転数毎に順方向と逆方向の回転力を交互に付与すると同時に、その回転方向を変換するまでの特定回転数を連続的にあるいは断続的に変化させながら、梱包箱４内にテープ類１を積み重ねるようにしてもよい。この順方向と逆方向の回転力を交互に付与する場合、一方向について付与する回転数を一定の値に固定すると、梱包箱４内に収納されたテープ類１の反転位置が１箇所に集中し、殊にテープ類１の材質が剛性の高いものである場合には梱包箱４内の水平方向に均一に分散させた収納が困難になる。したがって、この一方向について付与する回転数を変化させることによって、テープ類１の反転位置が１箇所に集中するのを回避できるようにするのである。
【００２２】
本発明においては、テープ類１を落下させながら箱詰めして梱包するにあたり、梱包箱４内に落下する途上にあるテープ類１に、梱包箱４の中央部を回転の中心とする回転力を付与すると共に、付与する回転力の方向を一定の方向にして梱包を行うことができる。
この場合においても、テープ類１の梱包に用いる装置は上記と同じ装置を用いることが好ましい。そして、前記駆動用プーリー７の駆動を屈曲部を有する吹出管３の回転方向が一定方向になるようにするほかは、上記の操作条件と同様の条件下に行えばよい。
【００２３】
さらに、このように落下途上にあるテープ類１に、梱包箱４の中央部を回転の中心とする一定方向の回転力を付与すると共に、その回転半径を連続的あるいは断続的に変化させることにより、高い充填率でテープ類１を梱包することができる。この回転半径の増減は、前記のように、ピンチロール２と駆動用プーリー７の回転速度を調整することにより行うことができる。
【００２４】
また、このテープ類１に一定方向の回転力を付与すると共に、その回転中心を連続的あるいは断続的に変化させることにより、高い充填率でテープ類１を梱包することができる。この場合、回転中心を梱包箱４の中央部に固定して梱包を行う場合よりも相対的に回転半径を小さ目にした方がよく、回転半径を一定の値で行うか、あるいは回転半径を増減しながら行う方法によってもよい。
【００２５】
このように、さまざまな態様によっつてテープ類の梱包を行うことができるが、このテープ類に与える回転半径や回転中心の変動の頻度は、テープ類の剛性の大きさを考慮して、特にその剛性が高いものでは、この頻度を低めにしてねじれの応力が蓄積するのを抑制するようにするのが望ましい。
さらに、上述のごとく、テープ類１に回転力を付与することなく、テープ類１を梱包箱４の中心と側壁との間に落下させるとともに、梱包箱４をその中央部を回転の中心として回転させ、かつその回転の方向を特定回転数毎に、順方向と逆方向とに交互に変換させて、テープ類１の梱包を行ってもよい。ここでの梱包箱４の回転数についても、一方向の回転数は、常に一定の値とするよりも、反転させる毎にその一方向の回転数を変化させた方が、梱包箱４内へのテープ類１の均一分散性が向上することから好ましい。
【００２６】
この場合には、図１における屈曲部を有する吹出管３やこれを駆動するプーリー７、電動機８、ベルト９は不要であり、単に前記ピンチロール２から下降するテープ類１の案内具、たとえば直管状や輪状のテープ類案内具により、テープ類１をほぼ垂直に下降させるだけでよい。そして、梱包箱４の回転は、この梱包箱４の台座を電動機により、順方向に少なくとも１回転させた後、逆方向に少なくとも１回転させるようにすることが望ましい。
【００２７】
また、この梱包箱４の台座を電動機により回転させるに際して、その台座を水平方向に、前後左右あるいは円周運動させて、その回転中心を連続的または断続的に移動させるようにすると、梱包箱４内へのテープ類１の充填率を向上させることができる。
本発明の方法により得られるテープ類の梱包体は、テープ類を自由落下させて梱包箱に収納する従来の梱包方法により得られたテープ類の梱包体に較べ、梱包箱４内に収納されたテープ類１の配置が、テープ類１の先端から末端までが、梱包箱４内の底面から上部開口面に向けてループ状に順序よく積重ねた状態で配列され、かつ積重ねて配列された互いに隣接するループ状のテープ類１相互の間で絡み合うことなく、高い充填率で梱包された形態を有している。
【００２８】
そして、このテープ類の梱包体からテープ類を繰り出して使用する際には、通常のテープ類の繰り出し操作と同様に行えばよい。すなわち、梱包箱からテープ類の末端を取り出し、これをガイドロールを介して繰り出し用のピンチロールに挟持させて繰り出すだけでよい。本発明のテープ類の梱包体は、上記のとおりにテープ類が順次よくかつテープ類同士の絡み合いのない形態で梱包されていることから、そこからのテープ類の繰り出しに際しても、円滑にかつ絡み合いを生ずることなく容易に繰り出し操作を行うことができる。
【００２９】
【実施例】
以下に、実施例により本発明をさらに具体的に説明する。
〔実施例１〕
梱包用テープとして、幅１２ｍｍの２枚のポリプロピレン製テープからなり、各テープの中心部に、一方のテープには高さ１．３ｍｍの凸条が設けてあり、他方のテープにはその凸条と嵌合する凹条が設けてあって、これら凸条と凹条とが嵌合した状態で２枚のテープが重ね合わせてある包装袋用のチャックテープを用いた。このチャックテープの重量は、１ｍ当たり４．６ｇであり、総延長は、約２０００ｍのものであった。
【００３０】
このチャックテープを、図１にその概略を示す装置に装入して、吹出管から取り出した後、一辺が６０ｃｍで高さ５０ｃｍであり、中心部に直径６ｃｍの中芯を有する梱包箱に収納した。チャックテープへの回転力の付与は、順方向、逆方向ともに５回転させた後に回転方向を反転させるようにした。
このようにして得られた１０個の梱包箱について、チャックテープ末端を取り出して、これをガイドロールを介してピンチロールにより繰り出し試験を行った結果、チャックテープの絡まりは全く発生しなかった。
また、別途に、前記操作条件と同一条件でチャックテープの梱包を行い、ついで、梱包箱内に収納されているチャックテープを繰り出しながら、一方向に周回されている巻き数（順方向、逆方向の２通りの合計）を数え、同一巻き数の単位毎の個数を調べた。その結果を第１表に示す。
【００３１】
〔比較例１〕
梱包に用いたテープは、実施例１と同じチャックテープとした。このチャックテープの梱包には、実施例１における屈曲吹出管に代えて、直管のガイドを設け、このガイドは回転させることなく、単にチャックテープが自然落下する状態において、実施例１と同様な梱包箱に収納した。
【００３２】
このようにして得られた１０個の梱包箱について、チャックテープ末端を取り出して、これをガイドロールを介してピンチロールにより繰り出し試験を行った結果、チャックテープの絡まりが３回発生し、繰り出しを停止して梱包箱内のチャックテープの絡まりをときほぐす必要があった。
また、別途、上記と同様にチャックテープを自然落下状態で梱包し、梱包箱内に収納されているチャックテープの回転方向を反転させるまでの一方向への巻き数を確認した。その結果を第１表に示す。
【００３３】
【表１】
0003872899.tif 000002
【００３４】
【発明の効果】
本発明の方法によれば、梱包された容器からテープ類を繰り出して使用する際に、そのテープ類にねじれや絡まりが生ずることのない、好ましい梱包形態で梱包をすることができる。
【図面の簡単な説明】
【図１】本発明の方法を実施する一例を示す概略説明図である。
【符号の説明】
１  テープ類
２  ピンチロール
３  屈曲部を有する吹出管
４  梱包用の箱
５  ガイドロール
６  固定用ベアリング
７  駆動用プーリー
８  電動機
【図１】
0003872899.tif 000003